(57)【要約】【課題】Ｘ線の立ち上り時間遅れによるＸ線検出器の出力感度特性の変動を補正して、ストリークアーチファクトが無くＣＴ値の誤差も小さくできるＸ線ＣＴ装置を提供する。【解決手段】Ｘ線照射手段からのＸ線の立ち上りの時間遅れによるＸ線検出手段の出力感度特性の変動を補正する第一の補正手段と、前記Ｘ線照射手段からのＸ線ビームシフトによる前記Ｘ線検出手段の出力感度特性の変動を補正する第二の補正手段と、前記Ｘ線の立ち上りの時間遅れとＸ線ビームシフトとによる前記Ｘ線検出手段の出力感度特性の変動以外の出力感度の変動及びＸ線検出素子間のばらつきを補正する第三の補正手段とを備え、これらの補正手段で補正したデータを投影データに変換しこの変換した投影データから再構成画像を得る。【選択図】　　　図２
2004065287.tif 000002
【特許請求の範囲】
【請求項１】
被検体にＸ線を照射するＸ線照射手段と、前記被検体を挟んで前記Ｘ線照射手段と対向する位置に配置され前記被検体の透過Ｘ線を検出する多数のＸ線検出素子で構成されたＸ線検出手段と、前記Ｘ線照射手段と前記Ｘ線検出手段を前記被検体の周りに回転させる回転手段と、前記Ｘ線検出手段により検出したデータを補正する補正手段と、この補正手段で補正したデータを投影データに変換しこの変換した投影データから再構成画像を得る再構成手段を含むＸ線ＣＴ装置であって、前記補正手段は、前記Ｘ線照射手段からのＸ線の立ち上りの時間遅れによる前記Ｘ線検出手段の出力感度特性の変動を補正する第一の補正手段と、前記Ｘ線照射手段からのＸ線ビームシフトによる前記Ｘ線検出手段の出力感度特性の変動を補正する第二の補正手段と、前記Ｘ線の立ち上りの時間遅れとＸ線ビームシフトとによる前記Ｘ線検出手段の出力感度特性の変動以外の出力感度の変動及びＸ線検出素子間のばらつきを補正する第三の補正手段とを備え、これらの補正手段で補正したデータを投影データに変換しこの変換した投影データから再構成画像を得ることを特徴とするＸ線ＣＴ装置。
【請求項２】
前記第一の補正手段は、被検体が無い状態でスキャンして得る第一の校正用感度データと、前記Ｘ線照射手段からのＸ線の照射開始角度を前記第一の校正用感度データ取得時におけるＸ線の立ち上がり時間に相当する角度位相分進ませた角度でスキャンして得る第二の校正用感度データと、これら第一の校正用感度データと第二の校正用感度データとを基にして前記Ｘ線照射手段からのＸ線の立ち上りの時間遅れによる前記Ｘ線検出手段の出力感度特性の変動を補正することを特徴とする請求項１に記載のＸ線ＣＴ装置。
【請求項３】
前記第一の校正用感度データ取得時のスキャンのＸ線の照射開始角度は任意の角度であることを特徴とする請求項２に記載のＸ線ＣＴ装置。
【請求項４】
前記第一の校正用感度データと第二の校正用感度データのＸ線照射角度を同じにするための時間−位相シフト手段と、この時間−位相シフト手段でシフトした前記第一の校正用感度データと第二の校正用感度データに対応するデータの差分をとる差分手段と、前記Ｘ線の立ち上がり後は補正を行わない手段とを具備し、Ｘ線の立ち上がりの過程においては前記差分手段の出力を、Ｘ線の立ち上がり後においては前記補正を行わない手段の出力を前記第一の補正手段の出力とすることを特徴とする請求項２に記載のＸ線ＣＴ装置。
【請求項５】
前記第二の補正手段は、被検体が無い状態でスキャンして得る第三の校正用感度データを取得する手段と、この手段で取得した第三の校正用感度データと前記第一の補正手段の出力の差分をとる手段と、この差分データを前記Ｘ線照射手段の回転角度に変換する手段とを具備し、この変換手段の出力を前記第二の補正手段の出力とすることを特徴とする請求項１のＸ線ＣＴ装置。
【請求項６】
前記第三の校正用感度データ取得時のスキャンのＸ線の照射開始角度は任意の角度であることを特徴とする請求項５に記載のＸ線ＣＴ装置。
【請求項７】
前記Ｘ線検出手段の出力と前記第一、第二及び第三の補正手段の出力との差分をとり、この差分データを前記Ｘ線照射手段の回転角度に変換して前記Ｘ線検出手段で検出した出力を補正し、この補正したデータを投影データに変換して再構成画像を得ることを特徴とする請求項１に記載のＸ線ＣＴ装置。
【発明の詳細な説明】
【０００１】
【発明の属する技術分野】
本発明はＸ線ＣＴ装置に関し、特にＸ線の立ち上がりの時間遅れ及びＸ線ビーム変動に起因するＸ線検出器の感度補正を施して高画質の断層画像を得るＸ線ＣＴ装置に関する。
【０００２】
【従来の技術】
Ｘ線ＣＴ装置は、被検体の体軸を中心にして、Ｘ線源とＸ線検出器が円周方向に回転しながら、前記Ｘ線源からＸ線を放射し、それと対向して円弧状に配置された複数の検出素子を備えたＸ線検出器にて被検体を透過したＸ線量を検出し、この検出したデータに基づき画像処理装置にて断層像を再構成するものである。このようなＸ線ＣＴ装置において、Ｘ線検出器はチャンネル方向に１次元的に多数のＸ線検出素子が配列されており、Ｘ線ビームを回転させて被検体を走査するＣＴ撮影（以下、ＣＴスキャン又は単にスキャンともいう）中に、Ｘ線検出器は１回転にて１枚の断層像を得るためのデータを検出する。
【０００３】
近年は、検査時間を短縮して装置のスループットの向上を図るために、これまでチャンネル方向に１次元的に多数のＸ線検出素子が配列されていたＸ線検出器を、スライス方向にも複数列配置する事により、１回のスキャンの間に複数のスライス分のＸ線量データを計測する事ができるマルチスライス型Ｘ線検出器を備えたＸ線ＣＴ装置が実用化されている。このように、Ｘ線ＣＴ装置のＸ線検出器は多数のＸ線検出素子で構成されており、このＸ線検出器には、高空間分解能及び高Ｓ／Ｎ（信号／ノイズ）が得られる、固体検出器が用いられている。この固体検出器は、入射Ｘ線を光に変換するシンチレータと、このシンチレータで変換された光を検出して電気信号として出力するシリコンフォトダイオードなどの光検出素子とから成るＸ線検出素子群を、Ｘ線源を中心として、シングルスライス型の場合はチャンネル方向に、マルチスライス型の場合はチャンネル方向及びこのチャンネル方向と直交するスライス方向に略円弧状に多数配列して構成される。
【０００４】
このように、Ｘ線ＣＴ装置は多数のＸ線検出素子で被検体を透過したＸ線量を検出して、この検出データを用いて断層画像を再構成するために、前記Ｘ線検出器素子間の特性は均一であることが必要である。このため、各種の感度補正を行っているが、これらの感度補正はＸ線検出器単体のチャンネル毎（マルチスライス型の場合はスライス方向の検出器も含む）の感度差だけではなく、Ｘ線検出器の感度不均一性およびスキャナの回転によるＸ線ビーム位置の変動に起因するＸ線検出器出力の感度変化も含めた補正である。
【０００５】
Ｘ線ビームの位置が変動する主な要因として、
（１）スキャナの回転運動により重力のかかる方向が回転体上の部品に対して回転周期で変化することによって該回転体本体の変形によるもの。
（２）Ｘ線管球の陽極の熱伸びによるＸ線焦点の変動によるもの。
（３）スキャナの回転運動によるＸ線検出器受光面の変位によるもの。
がある。これらによって生じるＸ線検出器の出力感度の変化に対して、スキャナ回転角度を変数とするチャンネル毎の感度変化を関数で近似して補正データとして感度補正に用いる方法や変動するＸ線ビーム位置を常に検出し、そのＸ線ビームを常に正規の位置へ補正するようにＸ線管球またはコリメータを移動させる方法が用いられている。
【０００６】
【発明が解決しようとする課題】
スキャナ回転による力学的負荷及びＸ線管陽極の熱伸びによるＸ線ビーム変動に対するＸ線検出器の出力感度変動補正は上記の方法で対処できたが、Ｘ線検出器の出力感度不均一の要因として上記のほかにもＸ線の立ち上がりの時間遅れによるものも考慮しなければならない。
このＸ線の立ち上がりの時間遅れに起因する感度不均一は、スキャン速度がそれほど高速でない従来の場合は問題ではなかったが、今後の高速スキャンにおいては無視できないものとなる。以下、この問題について説明する。
【０００７】
図１１にＸ線管の陽極と陰極間に直流の高電圧（以下、これを管電圧と呼ぶ）を印加した場合の時間と前記管電圧の関係、すなわちＸ線の立ち上がり特性の一例を示す。
Ｘ線管の陽極と陰極間に管電圧を印加しても設定された管電圧の値まで瞬時に到達することは困難であり、少なからず時間遅れが発生する。このような時間遅れをＸ線立ち上り時間Ｔｘとして図１１に示してある。
【０００８】
Ｘ線検出器の出力は、入射されるＸ線のエネルギースペクトルに敏感な感度を持っているため、図１１に示すように管電圧が設定値に達するまでにＴｘの時間遅れがあると、Ｘ線検出器の出力も前記管電圧の立ち上がり特性に対応して所定の時間遅れをもって立ち上がる。このような、管電圧の立ち上がり時間遅れに起因するＸ線検出器の出力特性の変化は、スキャナ回転が往復運動方式で、Ｘ線照射を開始する回転角度が常に一箇所に固定である場合には、上記従来技術で述べた回転角度位置を変数とする感度補正方法により補正でき、実用上問題はない。
【０００９】
しかし、最近のスキャナ回転方式はスリップリングとブラシによる連続回転方式が主流となっており、この連続回転方式の採用により、スキャン開始指令から実際のスキャン開始までの時間およびスキャンとスキャンの間の時間を短縮するために、任意で複数の回転角度位置からＸ線照射を行うようになった。これにより、Ｘ線検出器の出力感度補正データを得るための校正スキャンのＸ線照射を開始する回転角度と本スキャンのそれとは一致しないことになり、Ｘ線の立ち上りの時間遅れによるＸ線検出器の出力感度変化分は該Ｘ線検出器の出力データから除去されていないことになる。
【００１０】
このＸ線の立ち上りの遅れ時間Ｔｘがスキャン時間Ｔに対して十分に短ければＸ線検出器の出力感度変化の影響は画像上に現れにくいが、前記連続回転方式により、近年は１秒以下のサブセコンドスキャンが臨床的に有用とされ、一回転で最短０．５秒といった高速スキャンも実用化されている。このようなスキャンの短時間化の技術が進むにつれて、スキャン時間Ｔに対するＸ線の立ち上り遅れ時間Ｔｘの割合が増えることになり、Ｘ線検出器のチャンネル毎の出力感度のばらつきが除去されず、画像上にストリークアーチファクトが発生し、Ｘ線減弱量の不均一によるＣＴ値の誤差も発生する。また、このような画質劣化は、半回転分のスキャンデータから画像再構成を行う方法においてはより顕著なものとなる。そこで、本発明の目的は、Ｘ線の立ち上り時間遅れによるＸ線検出器の出力感度特性の変動を補正して、ストリークアーチファクトが無くＣＴ値の誤差も小さくできるＸ線ＣＴ装置を提供することにある。
【００１１】
【課題を解決するための手段】
上記目的は、以下の手段によって達成される。
【００１２】
（１）被検体にＸ線を照射するＸ線照射手段と、前記被検体を挟んで前記Ｘ線照射手段と対向する位置に配置され前記被検体の透過Ｘ線を検出する多数のＸ線検出素子で構成されたＸ線検出手段と、前記Ｘ線照射手段と前記Ｘ線検出手段を前記被検体の周りに回転させる回転手段と、前記Ｘ線検出手段により検出したデータを補正する補正手段と、この補正手段で補正したデータを投影データに変換しこの変換した投影データから再構成画像を得る再構成手段を含むＸ線ＣＴ装置であって、前記補正手段は、前記Ｘ線照射手段からのＸ線の立ち上りの時間遅れによる前記Ｘ線検出手段の出力感度特性の変動を補正する第一の補正手段と、前記Ｘ線照射手段からのＸ線ビームシフトによる前記Ｘ線検出手段の出力感度特性の変動を補正する第二の補正手段と、前記Ｘ線の立ち上りの時間遅れとＸ線ビームシフトとによる前記Ｘ線検出手段の出力感度特性の変動以外の出力感度の変動及びＸ線検出素子間のばらつきを補正する第三の補正手段とを備え、これらの補正手段で補正したデータを投影データに変換しこの変換した投影データから再構成画像を得る。
【００１３】
（２）前記第一の補正手段は、被検体が無い状態でスキャンして得る第一の校正用感度データと、前記Ｘ線照射手段からのＸ線の照射開始角度を前記第一の校正用感度データ取得時におけるＸ線の立ち上がり時間に相当する角度位相分進ませた角度でスキャンして得る第二の校正用感度データと、これら第一の校正用感度データと第二の校正用感度データとを基にして前記Ｘ線照射手段からのＸ線の立ち上りの時間遅れによる前記Ｘ線検出手段の出力感度特性の変動を補正する。
【００１４】
（３）前記第一の校正用感度データ取得時のスキャンのＸ線の照射開始角度は任意の角度良い。
【００１５】
（４）前記第一の校正用感度データと第二の校正用感度データのＸ線照射角度を同じにするための時間−位相シフト手段と、この時間−位相シフト手段でシフトした前記第一の校正用感度データと第二の校正用感度データに対応するデータの差分をとる差分手段と、前記Ｘ線の立ち上がり後は補正を行わない手段とを具備し、Ｘ線の立ち上がりの過程においては前記差分手段の出力を、Ｘ線の立ち上がり後においては前記補正を行わない手段の出力を前記第一の補正手段の出力とする。
【００１６】
（５）前記第二の補正手段は、被検体が無い状態でスキャンして得る第三の校正用感度データを取得する手段と、この手段で取得した第三の校正用感度データと前記第一の補正手段の出力の差分をとる手段と、この差分データを前記Ｘ線照射手段の回転角度に変換する手段とを具備し、この変換手段の出力を前記第二の補正手段の出力とする。
【００１７】
（６）前記第三の校正用感度データ取得時のスキャンのＸ線の照射開始角度は任意の角度で良い。
【００１８】
（７）前記Ｘ線検出手段の出力と前記第一、第二及び第三の補正手段の出力との差分をとり、この差分データを前記Ｘ線照射手段の回転角度に変換して前記Ｘ線検出手段で検出した出力を補正し、この補正したデータを投影データに変換して再構成画像を得る。
【００１９】
以上により、Ｘ線の立ち上り時間遅れによるＸ線検出器の出力感度特性の変動補正後データを用いて再構成画像を得るようにしたので、ストリークアーチファクトが無くＣＴ値の誤差も小さくできる。
【００２０】
【発明の実施の形態】
以下、図に示す実施形態により本発明をさらに詳細説明する。
図１は本発明の一実施形態に係わるＸ線ＣＴ装置の構成図である。このＸ線ＣＴ装置１００は、操作コンソール１と、撮影テーブル１０と、走査ガントリ２０とを具備している。前記走査コンソール１は、操作者の指示や各種情報などを入力する入力装置２と、スキャン処理や各種補正処理や画像再構成などを実行する中央処理装置３と、制御信号などを撮影テーブル１０と走査ガントリ２０へ出力する制御インターフェース４と、走査ガントリ２０で取得したデータを収集するデータ収集バッファ５と、画像を表示するＣＲＴ６と、各種のデータやプログラムを記憶する記憶装置７とを具備している。前記撮影テーブル１０は、被検体をのせて体軸方向に移動させる。前記走査ガントリ２０は、Ｘ線管２１と、コリメータ２２と、Ｘ線検出器２３と、被検体の体軸の回りにＸ線管２１やＸ線検出器２３などを回転させる回転板２７と、この回転板を回転制御する回転コントローラ２４と、Ｘ線照射タイミングや強度などを調節するＸ線コントローラ２５と、データ収集部２６を具備し、このデータ収集部２６で収集したＸ線計測データを操作コンソール１のデータ収集バッファ５に伝送する。
【００２１】
上記構成のＸ線ＣＴ装置において、Ｘ線立ち上りの感度補正データを得るための校正スキャンとＸ線ビームシフトの感度補正データを得るための校正スキャンを行って、Ｘ線の立ち上り時間遅れとＸ線ビームシフトによるＸ線検出器の出力感度特性の変動を補正して、これらの感度補正後データを投影データに変換し、この投影データを再構成するものである。
【００２２】
以下、これらの感度補正およびこれらの感度補正データを用いて本スキャンを行う実施例について説明する。
（ａ）Ｘ線の立ち上り時間遅れによる感度特性の変動補正（第一の補正手段）　　図２は、Ｘ線立ち上りの感度補正データを得る校正スキャン手順の要部のフロー図である。この校正スキャンでは、２回のスキャンを行う。最初に一回目のエアスキャンを行い、校正用感度データＡｉｒ１（ｔ）を得る（第一のエアスキャン）。このデータＡｉｒ１（ｔ）はＸ線検出器の全チャネル分のデータであり、ｔは照射開始からの経過時間を示す。
この第一のエアスキャン時のＸ線照射開始角度は任意の角度でよい。
【００２３】
図３に校正用感度データＡｉｒ１（ｔ）の波形を例示する。ｔは時間変数であり、データ収集開始をｔ＝０とし、スキャン時間Ｔまでの範囲の値をとる。この時間変数ｔはデータ取込タイミングであり、取り込んだデータの時系列に相当し、Ａｉｒ１（ｔ）は一回転におけるデータ取込のサンプリング総数分の配列を持つ離散的な関数である。なお、図３の波形は計測データをｌｏｇ変換した値であり、これ以降に記述するＸ線検出器出力、感度データおよび感度補正前データもｌｏｇ変換後の値として扱う。
【００２４】
次に二回目のエアスキャンを行い、校正用感度データＡｉｒ２（ｔ）を得る（第二のエアスキャン）。
この第二のエアスキャンは、第一のエアスキャン時のＸ線照射開始角度に対してＸ線の立ち上りが十分に安定する時間Ｔｓに相当する角度位相Ａｓ進ませた角度で行う。
この角度位相Ａｓは、３６０°回転に要する時間はスキャン時間Ｔであることから以下の計算で求められる。
Ａｓ＝３６０×Ｔｓ／Ｔ　　　　　　　　　　（１）
図４にこの校正用感度データＡｉｒ２（ｔ）の波形を例示する。
【００２５】
次に、校正用感度データＡｉｒ１（ｔ）とＡｉｒ２（ｔ）の角度位相が同じとなるようにＡｉｒ２（ｔ）の時間位相をシフトさせてＡｉｒ２’（ｔ）に変換する（時間−位相シフト手段）。
Ｔｓ≦ｔの場合、
Ａｉｒ２’（ｔ）＝Ａｉｒ２（ｔ−Ｔｓ）　　　　　　　（２）
ｔ＜Ｔｓの場合、
Ａｉｒ２’（ｔ）＝Ａｉｒ２（ｔ−Ｔｓ＋Ｔ）　　　　　　（３）
図５に校正用感度データＡｉｒ２’（ｔ）の波形を例示する。
【００２６】
次にＡｉｒ１（ｔ）とＡｉｒ２’（ｔ）の差分データＡｉｒＸ（ｔ）を計算する（差分手段）。
ＡｉｒＸ（ｔ）＝Ａｉｒ１（ｔ）−Ａｉｒ２’（ｔ）　　　　　（４）
図６にこの差分データＡｉｒＸ（ｔ）を例示する。
【００２７】
次に立ち上り感度補正に必要な波形は時間Ｔｓまでであり、これ以降のデータは補正を行わないようにするため、補正値は以下のように置き換えをする。
ｔ≦Ｔｓの場合、
ＣｏｒＸ（ｔ）＝ＡｉｒＸ（ｔ）　　　　　　　　　　（５）
Ｔｓ＜ｔの場合、
ＣｏｒＸ（ｔ）＝０　　　　　　　　　　　　　（６）
図７にこのＸ線立ち上りの感度補正データＣｏｒＸ（ｔ）を例示する。
【００２８】
（ｂ）Ｘ線ビームシフトによる感度特性の変動補正（第二の補正手段）
図８は、Ｘ線ビームシフトの感度補正データを得る校正スキャン手順の要部のフロー図である。この校正スキャンは、あらかじめ立ち上り感度補正のデータが必要である。最初にエアスキャンを行い、校正用感度データＡｉｒ３（ｔ）を得る。このスキャンの照射開始角度は任意でよい。この校正用感度データＡｉｒ３（ｔ）の波形は図３，４と同様である。
【００２９】
次に、このデータに対して立ち上りの感度補正を行うことにより回転角度に依存するデータを抽出する。
ＡｉｒＳ（ｔ）＝Ａｉｒ３（ｔ）−ＣｏｒＸ（ｔ）　　　　　（７）
図９に（７）式で求めたＡｉｒＳ（ｔ）の波形を例示する。
【００３０】
上記の差分データＡｉｒＳ（ｔ）は時間ｔに関する系列である。Ｘ線ビームシフトの感度変化はスキャナの回転角度に依存する傾向をもつ。よって、差分データＡｉｒＳ（ｔ）を回転角度ｓの系列に変換する。時間ｔと回転角度ｓは以下の関係にある。
ｓ＝Ａ３＋３６０×ｔ／Ｔ　　　　　　　　　　（８）
Ａ３はエアスキャンの照射開始角度を示す。
回転角度ｓは３６０度周期であるので、
ｓ＞３６０度の場合、
ｓ＝Ａ３＋３６０×ｔ／（Ｔ−３６０）　　　　　（９）
として扱う。この関係をもとに差分データＡｉｒＳ（ｔ）をＸ線ビームシフトの感度補正データＣｏｒＳ（ｓ）は求められる。
【００３１】
上記の方法で求められる感度補正データＣｏｒＸ（ｔ）、ＣｏｒＳ（ｓ）はデータ取込のサンプリング総数分の配列を持つ離散的関数である。
別の実施形態として、この関数を近似して連続な関数として扱うことも可能である。
近似関数の例として、Ｘ線立ち上りの補正データＣｏｒＸ（ｔ）は指数関数近似が適している。また、Ｘ線ビームシフトの補正データＣｏｒＳ（ｓ）は回転に対する周期が見られることから三角関数近似が適している。
さらにまた、離散関数のままで扱うにはデータ点数が多すぎて、記憶装置の容量に対する割合が大きい場合は、データ点数を縮減させても良い。
【００３２】
（ｃ）本スキャン
上記（ａ），（ｂ）の感度補正を行った後で本スキャンを行う。
図１０は、被検体をスキャンしてＣＴ画像を得る本スキャン手順の要部のフロー図である。最初に被検体をスキャンし、感度補正前のデータＲＤ（ｔ）を得る（第三
次に立ち上り感度補正を行う。
ＲＤ’（ｔ）＝ＲＤ（ｔ）−ＣｏｒＸ（ｔ）　　　　　　（１０）
【００３３】
次に、Ｘ線ビームシフト補正データＣｏｒＳ（ｓ）を本スキャンの照射開始角度Ａ４をもとに角度位相が一致するような時間系列ＣｏｒＳ（ｔ）に変換する。
【００３４】
次に、立ち上り感度補正後データＲＤ’（ｔ）からＸ線ビームシフト補正データＣｏｒＳＲＤ”（ｔ）＝ＲＤ’（ｔ）−ＣｏｒＳ（ｔ）　　　　　（１１）
【００３５】
このようにして求めた感度補正後データＲＤ”（ｔ）を投影データに変換し、この投影データを再構成してＣＴ画像を得る。
【００３６】
【発明の効果】
以上、本発明によれば、Ｘ線の立ち上り時間遅れによるＸ線検出器の出力感度特性の変動補正後データを用いて再構成画像を得るようにしたので、ストリークアーチファクトが無くＣＴ値の誤差も小さくできるＸ線ＣＴ装置を提供することができる。
【図面の簡単な説明】
【図１】本発明の一実施形態に係わるＸ線ＣＴ装置の構成図。
【図２】本発明によるＸ線立ち上りの感度補正データを得る校正スキャンのフロー図。
【図３】Ｘ線の立ち上り時間遅れによるＸ線検出器の出力感度変動補正のための第一のエアスキャンによる時間とＸ線検出器出力の関係を示す図。
【図４】Ｘ線の立ち上り時間遅れによるＸ線検出器の出力感度変動補正のための第二のエアスキャンによる時間とＸ線検出器出力の関係を示す図。
【図５】時間−位相シフトさせた図３の第一のエアスキャン時のＸ線検出器出力と図４の第二のエアスキャン時のＸ線検出器出力との差を示す図。
【図６】図３と図５の差分データを示す図。
【図７】Ｘ線の立ち上り時間遅れによるＸ線検出器の出力感度変動補正後のデータを示す図（第一の補正手段の出力）。
【図８】Ｘ線ビームシフトによるＸ線検出器の出力感度補正データを得る校正スキャンのフロー図。
【図９】Ｘ線ビームシフトによるＸ線検出器の出力感度補正データを示す図。
【図１０】被検体をスキャンしてＣＴ画像を得る本スキャンのフロー図。
【図１１】Ｘ線照射手段のＸ線管の陽極と陰極間に印加される管電圧波形の立ち上り特性を示す図。
【符号の説明】
１・・・操作コンソール、２・・・入力装置、３・・・中央処理装置、４・・・制御インターフェース、５・・・データ収集バッファ、６・・・ＣＲＴ、７・・・記憶装置、１０・・・撮影テーブル、２０・・・操作ガントリ、２１・・・Ｘ線管、２２・・・コリメータ、２３・・・Ｘ線検出器２４・・・回転コントローラ、２５・・・Ｘ線コントローラ、２６・・・データ収集部、２７・・・回転板、１００・・・Ｘ線ＣＴ装置
【図１】
2004065287.tif 000003
【図２】
2004065287.tif 000004
【図３】
2004065287.tif 000005
【図４】
2004065287.tif 000006
【図５】
2004065287.tif 000007
【図６】
2004065287.tif 000008
【図７】
2004065287.tif 000009
【図８】
2004065287.tif 000010
【図９】
2004065287.tif 000011
【図１０】
2004065287.tif 000012
【図１１】
2004065287.tif 000013